(57)【特許請求の範囲】
【請求項１】
材料シートから形成される衛生物品用の包装ユニット（１）であって、前記材料シートが内面（２）および外面（３）を有し、前記内面（２）が、内縁部（５）および外縁部（６）を備える縁域（４）を備え、前記材料シートが少なくとも１つの折り線（９）を有し、前記折り線（９）が前記材料シートを第１の領域（１０）と第２の領域（１１）に分割する、包装ユニットにおいて、前記第１の領域（１０）の前記縁域（４）の前記内縁部（５）および前記外縁部（６）のうちの一方に再封止可能な接着剤（１２）が付いており、前記第１の領域（１０）の前記縁域（４）の前記内縁部（５）および前記外縁部（６）の
うちの他方に接着剤が付いておらず、前記第１の領域（１０）の前記縁域を補完するように、前記第２の領域（１１）の前記縁域（４）の前記内縁部（８）および前記外縁部（７）のうちの一方に再封止可能な接着剤（１２）が付いており、前記第２の領域（１１）の前記縁域の前記内縁部（８）および前記外縁部（７）のうちの他方に接着剤が付いておらず、したがって、前記材料シートが前記折り線（９）の周りに折られると、前記第１の領域（１０）の再封止可能な接着剤（１２）を担持する縁部が前記第２の領域（１１）の前記接着剤なしの縁部と接触させられ、前記第２の領域（１１）の再封止可能な接着剤（１２）を担持する縁部が前記第１の領域（１０）の前記接着剤なしの縁部と接触させられることを特徴とする包装ユニット（１）。
【請求項２】
前記材料シートが、矩形状であり、長手方向縁部、横断方向縁部および隅部を備え、前記材料シートの前記第１および第２の領域（１０、１１）の前記縁域（４）が、前記長手方向縁部に沿って配置される、請求項１に記載の包装ユニット（１）。
【請求項３】
前記材料シートが横断方向縁域（４’、４”）を備え、前記横断方向縁域（４’、４”）のうちの１つの少なくとも一部に再封止可能な接着剤（１２）が付けられる、請求項２に記載の包装ユニット（１）。
【請求項４】
前記第１の領域（１０）の前記横断方向縁域（４’）の一部に再封止可能な接着剤（１２）が付いているが、前記第１の領域（１０）の前記横断方向縁域（４’）の残りの部分に接着剤が付いておらず、前記第１の領域（１０）の前記横断方向縁域（４’）を補完するように、前記第２の領域（１１）の前記横断方向縁域（４”）の一部に再封止可能な接着剤（１２）が付いているが、前記第２の領域（１１）の前記横断方向縁域（４”）の残りの部分に接着剤が付いておらず、したがって、前記材料シートが前記折り線（９）の周りに折られると、前記第１の領域（１０）の再封止可能な接着剤（１２）を担持する前記横断方向縁部が前記第２の領域（１１）の前記接着剤なしの横断方向縁部と接触させられ、前記第２の領域（１１）の再封止可能な接着剤（１２）を担持する前記横断方向縁部が前記第１の領域（１０）の前記接着剤なしの横断方向縁部と接触させられる、請求項２に記載の包装ユニット（１）。
【請求項５】
前記隅部（２１）のうちの少なくとも１つには、把持タブが形成されるように再封止可能な接着剤（１２）が付いていない、請求項２から４のいずれか一項に記載の包装ユニット（１）。
【請求項６】
前記材料シートが、前記材料シートを第１の領域（３１０）と第２の領域（３１１）と第３の領域（３１２）に分割する２つの折り線（３０９、３０９’）を有する、請求項２に記載の包装ユニット（３０１）。
【請求項７】
前記材料シートが前記折り線（３０９、３０９’）に沿って折られて、前記第１、第２および第３の領域（３１０、３１１、３１２）が重なり合った構成になる、請求項６に記載の包装ユニット（３０１）。
【請求項８】
前記第３の領域（３１２）の前記縁域の再封止可能な接着剤（１２）が付けられる縁部が、前記第１の領域（３１０）の前記縁域の再封止可能な接着剤（１２）が付けられる縁部に対応し、前記第２の領域（３１１）の前記縁域の再封止可能な接着剤（１２）が付けられる縁部に対して相補形であり、したがって、前記長手方向縁部のそれぞれに沿って再封止可能な接着剤（１２）の升目状パターンが形成される、請求項６または７に記載の包装ユニット（３０１）。
【請求項９】
隣接する２つの領域（４１１、４１２）の前記接着剤被覆縁部の幅が、残りの領域（４１０）の前記接着剤被覆部の幅と比べて半分に減らされる、請求項８に記載の包装ユニット（４０１）。
【請求項１０】
前記横断方向縁域（３０４’、３０４＊、４０４’）のうちの１つの少なくとも一部に再封止可能な接着剤（１２）が付いている、請求項６から９のいずれか一項に記載の包装ユニット（３０１、４０１）。
【請求項１１】
前記材料シートが不透明であり、および／または印刷を含む、請求項１から１０のいずれか一項に記載の包装ユニット（１、１３、１０１、２０１、３０１、４０１）。
【請求項１２】
前記再封止可能な接着剤（１２）が、制限されない開封時間を有する感圧式ホットメルト接着剤である、請求項１から１１のいずれか一項に記載の包装ユニット（１、１３、１０１、２０１、３０１、４０１）。
【請求項１３】
前記包装ユニット（１、１３、１０１、２０１、３０１、４０１）が再閉鎖可能である、請求項１から１２のいずれか一項に記載の包装ユニット（１、１３、１０１、２０１、３０１、４０１）。
【請求項１４】
材料シートから衛生物品用の包装ユニット（１）を形成する方法であって、
内面（２）および外面（３）を有するシートを用意するステップであり、前記内面（２）が、内縁部および外縁部を備える縁域（４）を備え、前記材料シートが少なくとも１つの折り線（９）を有し、前記折り線（９）が前記材料シートを第１の領域（１０）と第２の領域（１１）に分割する、ステップと、
前記第１の領域（１０）の前記縁域の前記内縁部（５）および前記外縁部（６）のうちの一方に接着剤を付けないように、前記第１の領域（１０）の前記縁域の前記内縁部（５）および前記外縁部（６）のうちの他方に再封止可能な接着剤（１２）を付けるステップと、
前記第１の領域（１０）の前記縁域を補完するように、前記第２の領域（１１）の前記縁域の前記内縁部（８）および前記外縁部（７）のうちの一方に接着剤を付けないように、前記第２の領域（１１）の前記縁域の前記内縁部（８）および前記外縁部（７）のうちの他方に再封止可能な接着剤（１２）を付けるステップと、
前記第１の領域（１０）の再封止可能な接着剤（１２）を担持する縁部が前記第２の領域（１１）の前記接着剤なしの縁部と接触させられ、前記第２の領域（１１）の再封止可能な接着剤（１２）を担持する縁部が前記第１の領域（１０）の前記接着剤なしの縁部と接触させられるように、前記折り線（９）の周りに前記材料シートを折るステップと、
を含む方法。
【請求項１５】
前記材料シートが、前記材料シートを第１の領域（３１０）と第２の領域（３１１）と第３の領域（３１２）に分割する２つの折り線（３０９、３０９’）を有し、前記方法が、
前記第３の領域（３１２）の前記縁域の一部に再封止可能な接着剤（１２）を付けるステップと、
前記第３の領域（３１２）の前記内面が前記第１の領域（３１０）の前記外面と接触させられるように前記材料シートを折るステップと、
をさらに含む、請求項１４に記載の方法。
【発明の詳細な説明】
【技術分野】
【０００１】
本発明は、衛生物品用の包装ユニットに関し、ユニットが材料シートから形成され、シートが内面および外面を有し、内面が、内縁部および外縁部を備える縁域を備え、シートが少なくとも１つの折り線を有し、折り線がシートを第１の領域と第２の領域に分割する。本発明は、材料シートから衛生物品用の包装ユニットを形成する方法にも関する。
【背景技術】
【０００２】
生理用ナプキンおよびパンティライナ等の使い捨て可能な衛生物品は、通常、例えば、簡易包装体または単一包装体等に個別に包装される。個別包装は、後で使うための単一物品を、例えばハンドバッグ内等に衛生的に携行することを容易にする。個別包装の縁部は、しばしば超音波溶着または熱溶着によって封止される。さらに、包装ユニットは、しばしば未使用物品の包装手段と使用済み物品の廃棄手段との両方に使用される。
【０００３】
この種の使用済み物品は、個別的かつ衛生的に廃棄できることが望ましい。このことは、使用者が、例えばトイレ領域で使用できるゴミ箱がないとき等、使用済み物品が取り替えられた直後に使用済み物品を廃棄する可能性がないときに、特に重要である場合がある。この場合、使用者は、例えばハンドバッグまたはバックパック等に使用済み物品を入れる必要があるかもしれず、このことは、染みまたは匂いを避けるために包装体が耐密封止されることを必要とする。
【０００４】
廃棄問題は、かなり徹底的な調査の対象となっており、幾つかの解決策が提案されている。
【０００５】
特許文献１は、３辺で包装紙に付着される液体不透過性の材料シートを、包装紙の少なくとも一部に重ねて形成されたパウチが設けられうる包装紙シートを開示している。パウチは、汚れた物品を受容するために使用される。そのような包装紙は、材料量の追加を必要とし、かつ、廃棄用の耐密包装体を形成できない、という欠点がある。
【０００６】
例えば特許文献２には、使用済み衛生物品を廃棄するための別一般的な解決策が開示されている。この文献は、折返しパネル、中央パネルおよび端パネルを有する単一の材料片と、包装紙を廃棄構成で固定するためのテープタブとを備える包装紙を備える折り包み包装体を開示している。そのような包装紙の主要な欠点は、物品が廃棄されるべきときに、耐密封止された包装体を形成できないことである。
【０００７】
特許文献３は、互いに平行を成す縁部に沿って、連続的または断続的な感圧接着剤の狭い被覆が設けられた細長い材料シートを折ることによって形成され、その接着剤によって容器部が保持され、接着面は接着面に接触し付着する、包装ユニットを開示している。包装ユニットは、少なくとも部分的に感圧接着剤で被覆され、それにより容器部の外側に再び固定することができる、蓋をさらに備える。したがって、そのような包装ユニットは、接着剤被覆面が互いに接触する非常に強く封止された側部継目と、耐密封止された廃棄包装体を提供する再封止可能な蓋とを有する。しかし、接着剤被覆面が互いに接触するので、使用済み品を配置するためにシートを完全に開くことができず、したがって、使用済み物品は、むしろ制限された容器部内に挿入される必要がある。このことは、使用済み衛生物品がしばしば使用前よりも嵩張り、容器部内に挿入するのが困難であるので、大きな欠点となる場合がある。
【０００８】
特許文献４は、衛生物品の包装用および廃棄用の再閉鎖可能なシートを開示している。シートは、シートが折られるときに、接着剤被覆領域が互いに接触しないように配置された縁接着片を備える。その目的を果たすために、シートの折りは、シートの接着剤なしの横断方向縁部から始められる必要がある。接着剤被覆横断方向縁部から折り始められる場合、２つの接着剤層が互いに重なり合い、接着剤なしの横断方向縁部が包装体の外側位置に配置され、すなわち、包装体が耐密封止されない。
【０００９】
単一物品の包装を目的とする従来形式の包装ユニットは、「ｅ折り（ｅ−ｆｏｌｄｉｎｇ）」とも称する、折重ね蓋を有するバッグ状の包装体を形成するように折られる細長い矩形状の材料シートを備える。これらの既知の包装ユニットは、熱または超音波によって縁部に沿って溶着され、縁部の溶着継目に沿って引き裂かれることによって、包装体が開かれて包装体の内容物を露出させうるように開封される。
【００１０】
この種の溶着包装ユニットの主要な欠点は、一旦開封されると、包装体は、再封止することができず、したがって、衛生上許容できるように使用済み物品を包装することができないので、廃棄バッグとして満足に使用することができないことである。さらに、開かれた包装シートは、壊された溶着部がしばしば平坦でなく襞が付いているので、美観上好ましくない外観を呈する。
【先行技術文献】
【特許文献】
【００１１】
【特許文献１】独国特許出願公開第２１５３７７９号明細書
【特許文献２】国際公開第９４／１４３９６号
【特許文献３】国際公開第８８／１０２１９号
【特許文献４】米国特許出願公開第０８／１４９，３７５号明細書（ＵＳＨ１４５４）
【発明の概要】
【発明が解決しようとする課題】
【００１２】
したがって、新しい衛生物品の包装と使用済み衛生物品の衛生的な保管および廃棄との両方のために使用でき、美観上魅力的な包装ユニットが必要である。
【課題を解決するための手段】
【００１３】
本発明は、新しい衛生物品の包装と使用済み衛生物品の安全かつ衛生的な廃棄との両方のために使用できる包装ユニットを提供する。本発明の包装ユニットは、新しい物品と使用済み物品の両方のための耐密包装体を形成する可能性を提供し、したがって新しい物品を使用前に衛生的かつ清潔に保管し、使用済み物品が包装されるときに染みおよび匂いのリスクを排除する。包装ユニットは、容易に開き再封止するのが容易であり、美観上魅力的である。
【００１４】
本明細書で使用するときには、用語「内面」は、包装体の内側に配置された製品に面する包装ユニットの面を指し、用語「外面」は、内面とは反対側の面、すなわち環境に面する面を指す。
【００１５】
用語「縁域」は、包装ユニットの縁部に隣接する包装ユニットの部分を指す。縁域の幅は様々である。
【００１６】
用語「内縁部」は、包装ユニットの中心線に向いて配置された縁域の部分を指す。
【００１７】
用語「外縁部」は、包装ユニットの縁部に向いて配置された縁域の部分を意味する。
【００１８】
用語「単一層」は、一貫した物質の単一層を備える包装ユニットを意味する。単一層包装ユニットの例は、ポリエチレンフィルム等のプラスチックフィルム、不織布材料、金属箔または同等物等でもよい。単一層材料は、一体化された層を備えるプラスチックフィルム材料、材料の異なる部分に様々な繊維成分を有する不織布材料等の非均質な材料でもよい。本明細書で使用されるような単一層材料は、分離可能な層を有する材料を含まない。
【００１９】
用語「積層」は、同一材料でもよく異なる材料でもよい分離可能な少なくとも２つの層を一体化した包装ユニットを意味する。本発明との関連では、積層は、例えば、分離可能な２つのプラスチックフィルムの層、フィルムと不織布、２つの不織布層等で構成されてもよい。
【００２０】
本発明は、上に論じた包装ユニットの欠点を実質的に排除する、衛生物品用の包装ユニットおよび包装ユニットの形成方法を提供する。
【００２１】
本発明による衛生物品用の包装ユニットは、内面および外面を有する材料シートから形成され、内面は、内縁部および外縁部を備える縁域を備える。シートは、少なくとも１つの折り線を有し、折り線は、シートを第１の領域と第２の領域に分割する。本発明による包装ユニットは、第１の領域の縁域の内縁部および外縁部のうちの一方に接着剤が付いており、第１の領域の縁域の内縁部および外縁部のうちの他方に接着剤が付いていないことを特徴とする。さらに、本発明の本質的な特徴は、第１の領域の縁域を補完するように、第２の領域の縁域の内縁部および外縁部のうちの一方に接着剤が付いており、第２の領域の縁域の内縁部および外縁部のうちの他方に接着剤が付いていないことである。言い換えると、シートが折り線の周りに折られると、第１の領域の接着剤を担持する縁部が第２の領域の接着剤なしの縁部と接触させられ、第２の領域の接着剤を担持する縁部が第１の領域の接着剤なしの縁部と接触させられる。
【００２２】
本発明の包装ユニットで使用されるのに適した接着剤は、接着剤が他の基材にいつでも付着できることを意味する制限されない開封時間を有する感圧式ホットメルト接着剤である。
【００２３】
包装ユニットで使用される感圧接着剤は、非常に高い自己接着性を有するが、剥離剤で処理されたプラスチック材料または紙等の他の材料から容易に分離または解放されうるものである。本発明による包装ユニットの主要な利点は、新しい衛生物品が取り出されようとするときに包装ユニットが完全に開かれうることである。これとは対照的に、互いに接触する接着剤被覆縁部を有する接着封止された縁部を有する従来技術の包装体は、接着封止された縁部の接着強度が強すぎ、包装体を完全に開こうとすると包装ユニットの引き裂きおよび破壊に至り、使用済み物品の個別かつ衛生的な廃棄のために使用できなくなる。包装ユニットが折られるときに本発明の包装ユニットの接着剤被覆縁部が互いに接触しないので、包装ユニットは、容易に開封および再封止されうることになり、廃棄用の耐密包装体を提供する。同時に、本発明の接着剤パターンを使用して接着封止された包装ユニットの縁部の引張強度は、新しい物品と使用済み物品の両方のための耐密包装体を提供するのに十分であるとともに、開封が容易な包装体を提供するのに十分に小さい。
【００２４】
シートの幾何形状は、包装されるべき衛生物品の種類に応じて変化することができる。シートは、円形、三角形、正方形、長方形、または包装されるべき衛生物品に適した任意の他の形状でもよい。しかし、シートが少なくとも１つの対称軸を有することが望ましい。
【００２５】
上述したように、包装ユニットは、少なくとも１つの折り線を備える。折り線の数は、包装ユニットがどのように折られることを意図しているかに応じて変化してもよい。包装ユニットが１〜３の折り線を備えることが好ましい。
【００２６】
包装ユニットを形成するための材料シートの一般的な形状は、正方形または長方形である。本発明によるそのようなシートは、本明細書では長手方向縁部と称する側縁部、横断方向縁部および隅部を有し、材料シートの第１および第２の領域の縁域は、長手方向縁部に沿って配置される。したがって、接着剤で被覆された縁部および接着剤なしの部分は、長手方向縁部に沿って配置されることになる。包装ユニットが開封されるときにシートの縁部が捩れたり縮んだりするのを避けるために、外縁部に付けられる接着剤は、長手方向縁部から或る距離で配置されてもよい。この距離は、０．５ｍｍ〜５ｍｍ、好ましくは１ｍｍ〜３ｍｍでよい。
【００２７】
接着剤被覆縁部の幅は、望まれる接着強度に応じて変化してもよい。接着剤被覆縁域が広くなるにつれて封止が強くなる。接着剤被覆縁部の幅は、領域毎に同じであってもよく異なってもよい。
【００２８】
各領域の接着剤被覆縁部の長さは、各領域の長さと等しくてもよく、各領域の長さよりも０．１ｍｍ〜１ｍｍ短くてもよい。各領域の接着剤被覆縁部の長さが各領域の長さと等しいことが好ましい。
【００２９】
さらに、本発明による包装ユニットの横断方向縁部のうちの少なくとも１つに接着剤が付いていることが好ましい。開封を容易にするために、隅部のうちの少なくとも１つは、把持タブが形成されるように接着剤なしでもよい。
【００３０】
上述したように、個別に包装される衛生製品のための最も一般的な折りパターンのうちの１つは、いわゆるｅ折りである。この場合、シートは、シートを第１の領域と第２の領域と第３の領域に分割する２つの折り線を有する。次いで、包装ユニットを形成することができ、シートが折り線に沿って折られ、第１、第２および第３の領域が重なり合った構成になる。
【００３１】
本発明によれば、シートを第１、第２および第３の領域に分割する２つの折り線をシートが有し、包装ユニットがｅ折りによって形成されると、接着剤が付けられる第３の領域の縁域の縁部は、接着剤が付けられる第１の領域の縁域の縁部に対応し、接着剤が付けられる第２の領域の縁域の縁部と相補形を成す。したがって、長手方向縁域のそれぞれに沿って升目状の接着剤パターンが形成される。
【００３２】
包装ユニットを形成するためのシートは、ポリエチレンフィルムまたは不織布等、当業者に知られている任意の適した材料の単一層シートであってもよい。シートは、少なくとも２つの別個の層を備える積層体であってもよい。衛生物品の包装に適した積層体は、当業者に知られていると考えられ、いかなる方法でも本発明を限定しない。
【００３３】
要望に応じて、本発明による包装ユニットを形成するためのシートは、包装ユニットの内容物を隠すために不透明であってもよく、このことは、本発明の包装ユニット内に包装された使用済み物品が取り替えの直後に廃棄できないときに特に重要である。さらに、シートは、使用者の注意を引くとともに使用者の気分を向上させるために有益な印刷を含んでもよい。
【００３４】
本発明による包装ユニットを形成する材料シートは、臭気抑制物質または臭気中和物質を含んでもよい。そのような物質は、例えばコーティング、活性可能マイクロカプセル、浸透性パッチまたは同等物等、当業者に知られている任意の適した形で適用されてもよい。
【００３５】
本発明による包装ユニットを形成するためのシートは、伸縮可能または拡張可能であってもよいと考えられ、このことは、衛生物品が使用中に大きく変形し、したがって包装ユニットを変形させずに包装するのが困難となる場合に有利でありうる。
【００３６】
本発明で使用される接着剤は、Ｈ．Ｂ．Ｆｕｌｌｅｒから入手可能なＬｕｎａｔａｃｋ（登録商標）Ｄ６５６ＢＤ１９等の感圧式ホットメルト接着剤であってもよい。
【００３７】
本発明による衛生物品用の包装ユニットは、
−  内面および外面を有するシートを用意するステップであり、内面が、内縁部および外縁部を備える縁域を備え、シートが少なくとも１つの折り線を有し、折り線がシートを第１の領域と第２の領域に分割する、ステップと、
−  第１の領域の縁域の内縁部および外縁部のうちの一方に接着剤を付けないように、第１の領域の縁域の内縁部および外縁部のうちの他方に接着剤を付けるステップと、
−  第１の領域の縁域を補完するように、第２の領域の縁域の内縁部および外縁部のうちの一方に接着剤を付けないように、第２の領域の縁域の内縁部および外縁部のうちの他方に接着剤を付けるステップと、
−  第１の領域の接着剤を担持する縁部が第２の領域の接着剤なしの縁部と接触させられ、第２の領域の接着剤を担持する縁部が第１の領域の接着剤なしの縁部と接触させられるように、折り線の周りにシートを折るステップとを含む方法によって形成される。
【００３８】
少なくとも２つの折り線を備える、つまり少なくとも３つの領域を備える包装ユニットが折られると、第１の領域の接着剤被覆縁部が第２の領域の接着剤なしの部分と接触させられ、第２の領域の接着剤被覆縁部が第１の領域の接着剤なしの部分と接触させられることに留意されたい。続いて折られる第３の領域は、第１の領域の外面に折り重ねられて蓋を形成し、したがって、第３の領域の接着剤被覆縁部は、第１の領域の接着剤なしの外面と接触させられる。この具体的事例では、折り順は、反転されてもよく、すなわち、第２の領域の接着剤被覆縁部が第３の領域の接着剤なしの部分と接触させられ、第３の領域の接着剤被覆部が第２の領域の接着剤なしの部分と接触させられる。蓋は、第１の領域を第３の領域の外面の上に折ることによって形成される。したがって、本発明による接着剤パターンは、包装ユニットを任意の順で折り、使用済み物品が個別的かつ衛生的に廃棄されることを確実にし、依然として液密および匂いに対して耐密の包装体を得る可能性を使用者に与えるという利点を有する。さらに、本発明の包装ユニットが廃棄のために使用されるときに、使用者は、包装ユニットを折る代わりに巻くことを選んでもよい。
【００３９】
つぎに、添付図面を参照した例を用いて本発明の実施形態が説明される。
【図面の簡単な説明】
【００４０】
【図１】１つの折り線を有する、本発明による包装ユニットを示す図である。
【図２】図１に示す包装ユニットを折り状態で示す図である。
【図３】接着剤被覆横断方向縁部を有する、本発明による包装ユニットを示す図である。
【図４】図３に示す包装ユニットを折り状態で示す図である。
【図５】接着剤被覆横断方向縁部を有する、本発明による包装ユニットを示す図である。
【図６】図５に示す包装ユニットを折り状態で示す図である。
【図７】本発明による円形の包装ユニットを示す図である。
【図８】図７に示す包装ユニットを折り状態で示す図である。
【図９】２つの折り線を有する、本発明による包装ユニットを示す図である。
【図１０】図９に示す包装ユニットを折り状態で示す図である。
【図１１】異なる幅の接着剤被覆部を有する、本発明による包装ユニットを示す図である。
【図１２】図１１に示す包装ユニットを折る方法を示す図である。
【発明を実施するための形態】
【００４１】
図１は、本発明による衛生物品用の包装ユニット１を示している。包装ユニットは、内面２および外面３を有する材料シートから形成され、内面は、内縁部５、８および外縁部６、７を備える縁域４を備える。包装ユニット１は、横断方向縁部４’および４”も備える。シートは、折り線９を有し、折り線は、シートを第１の領域１０と第２の領域１１に分割する。図１に示すように、第１の領域１０の縁域４の外縁部６には接着剤１２が付いているが、第１の領域１０の縁域４の内縁部５には接着剤が付いていない。さらに、第２の領域１１の縁域４の内縁部８には接着剤１２が付いているが、第２の領域１１の縁域４の外縁部７には接着剤が付いていない。また、第１の領域１０の横断方向縁部４’には接着剤１２が付いているが、第２の領域１１の横断方向縁部４”には接着剤が付いていない。したがって、第１の領域１０の接着剤パターンは、第２の領域１１の接着剤パターンに対して相補形である。このことは、図２に示すように折り線９の周りにシートが折られると、第１の領域１０の接着剤を担持する縁部６が第２の領域１１の接着剤なしの縁部７と接触させられ、第２の領域１１の接着剤１２を担持する縁部８が第１の領域１０の接着剤なしの縁部５と接触させられ、第１の領域１０の接着剤１２を担持する縁部４’が第２の領域１１の接着剤なしの横断方向縁部４”と接触させられることを意味する。図２から分かるように、封止領域の幅は、接着部６および８の幅の合計に相当する。そのような封止は、新しい物品と廃棄物品の両方の耐密包装を確実にする。
【００４２】
図３は、本発明による衛生物品用の包装ユニット１０１を示している。包装ユニットは、内面１０２および外面１０３を有する材料シートから形成され、内面は、内縁部１０５、１０８および外縁部１０６、１０７を備える縁域１０４を備える。包装ユニット１０１は、横断方向縁部１０４’、１０４＊および１０４”、１０４＊＊も備える。シートは、折り線１０９を有し、折り線は、シートを第１の領域１１０と第２の領域１１１に分割する。図３に示すように、第１の領域１１０の縁域１０４の外縁部１０６には接着剤が付いているが、第１の領域１１０の縁域１０４の内縁部１０５には接着剤が付いていない。さらに、第２の領域１１１の縁域１０４の内縁部１０８には接着剤１２が付いているが、第２の領域１１１の縁域１０４の外縁部１０７には接着剤が付いていない。また、第１の領域１１０の横断方向縁部１０４’には接着剤１２が付いているが、第１の領域１１０の横断方向縁部１０４＊には接着剤が付いていない。さらに、第２の領域１１１の横断方向縁部１０４＊＊には接着剤１２が付いているが、第２の領域１１１の横断方向縁部１０４”には接着剤が付いていない。したがって、第１の領域１１０の接着剤パターンは、第２の領域１１１の接着剤パターンに対して相補形である。このことは、図４に示すように折り線１０９の周りにシートが折られると、第１の領域１１０の接着剤１２を担持する縁部１０６が第２の領域１１１の接着剤なしの縁部１０７と接触させられ、第２の領域１１１の接着剤１２を担持する縁部１０８が第１の領域１１０の接着剤なしの縁部１０５と接触させられ、第１の領域１１０の接着剤１２を担持する横断方向縁部１０４’が第２の領域１１１の接着剤なしの横断方向縁部１０４”と接触させられ、第２の領域１１１の接着剤１２を担持する横断方向縁部１０４＊＊が第１の領域１１０の接着剤なしの横断方向縁部１０４＊と接触させられることを意味する。図４から分かるように、長手方向縁部に沿う封止領域の幅は、接着縁部１０６、１０８の幅の合計に相当し、横断方向縁部に沿う封止領域の長さは、接着部１０４’および１０４＊＊の長さの合計に相当する。そのような封止は、新しい物品と廃棄物品の両方の耐密包装を確実にする。
【００４３】
図５は、本発明による衛生物品用の包装ユニット２０１を示している。包装ユニットは、内面２０２および外面２０３を有する材料シートから形成され、内面は、内縁部２０５、２０８および外縁部２０６、２０７を備える縁域２０４を備える。包装ユニット２０１は、横断方向縁部２０４’、２０４＊および２０４”、２０４＊＊も備える。シートは、折り線２０９を有し、折り線は、シートを第１の領域２１０と第２の領域２１１に分割する。図６に示すように、第１の領域２１０の縁域２０４の外縁部２０６には接着剤１２が付いているが、第１の領域２１０の縁域２０４の内縁部２０５には接着剤が付いていない。さらに、第２の領域２１１の縁域２０４の内縁部２０８には接着剤１２が付いているが、第２の領域２１１の縁域２０４の外縁部２０７には接着剤が付いていない。また、第１の領域２１０の横断方向縁部２０４’には接着剤１２が付いているが、第１の領域２１０の横断方向縁部２０４＊には接着剤が付いていない。さらに、第２の領域２１１の横断方向縁部２０４＊＊には接着剤１２が付いているが、第２の領域２１１の横断方向縁部２０４”には接着剤が付いていない。したがって、第１の領域２１０の接着剤パターンは、第２の領域２１１の接着剤パターンに対して相補形である。このことは、図６に示すように折り線２０９の周りにシートが折られると、第１の領域２１０の接着剤を担持する縁部２０６が第２の領域２１１の接着剤なしの縁部２０７と接触させられ、第２の領域２１１の接着剤１２を担持する縁部２０８が第１の領域２１０の接着剤なしの縁部２０５と接触させられ、第１の領域２１０の接着剤１２を担持する横断方向縁部２０４’が第２の領域２１１の接着剤なしの横断方向縁部２０４”と接触させられ、第２の領域２１１の接着剤１２を担持する横断方向縁部２０４＊＊が第１の領域２１０の接着剤なしの横断方向縁部２０４＊と接触させられることを意味する。図６から分かるように、長手方向縁部に沿う封止領域の幅は、接着部２０６および２０８の幅の合計に相当し、横断方向縁部に沿う封止領域の幅は、接着部２０４’および２０４＊＊の幅の合計に相当する。そのような封止は、新しい物品と廃棄物品の両方の耐密包装を確実にする。
【００４４】
図７は、円形の包装ユニット１３を図示している。そのような包装ユニットは、タンポンまたは胸パッドのように折るよりも巻くことによって包装される吸収性物品のために使用されうる。包装ユニット１３は、折り線２０を有し、折り線は、包装ユニット１３を第１の領域１４と第２の領域１５に分割する。領域のそれぞれは、内縁部１６、１９および外縁部１７、１８を備える。図７に示すように、第１の領域１４の内縁部１６および第２の領域１５の外縁部１８には接着剤１２が付いているが、第１の領域１４の外縁部１７および第２の領域１５の内縁部１９には接着剤が付いていない。したがって、第１の領域１４の接着剤パターンは、第２の領域１５の接着剤パターンに対して相補形である。このことは、図８に示すように折り線２０の周りにシートが折られると、第１の領域１４の接着剤を担持する縁部１６が第２の領域１５の接着剤なしの縁部１９と接触させられ、第２の領域１５の接着剤１２を担持する縁部１８が第１の領域１４の接着剤なしの縁部１７と接触させられることを意味する。図８から分かるように、封止領域の幅は、接着部１６および１８の幅の合計に相当する。
【００４５】
吸収性物品の個別包装用の最も一般的な包装ユニットは、２つの折り線、長手方向縁部および横断方向縁部を備える矩形シートである。そのような実施形態が図９に図示されている。包装ユニット３０１は、包装ユニットを第１の領域３１０、第２の領域３１１および第３の領域３１２に分割する２つの折り線３０９、３０９’を備える矩形シートである。領域のそれぞれは、内縁部３０５、３０５’、３０８および外縁部３０６、３０６’、３０７を備える。図９に示すように、第１および第３の領域それぞれの外縁部３０６、３０７には接着剤１２が付いているが、第１および第３の領域それぞれの内縁部３０５、３０８には接着剤が付いていない。第２の領域３１１の接着剤パターンは、第１および第３の領域３１０、３１２の接着剤パターンに対して相補形であり、したがって升目状パターンを形成する。言い換えれば、第２の領域３１１の外縁部３０６’には接着剤が付いておらず、第２の領域３１１の内縁部３０５’には接着剤が付いている。このことは、図９に示すようにシートが折り線３０９、３０９’の周りにｅ折りされる（ｅ−ｆｏｌｄｅｄ）と、接着剤１２を担持する、第１の領域３１０の外縁部３０６または第３の領域３１２の外縁部３０７が第１および第３の領域３１０、３１２のいずれが第２の領域３１１と接触させられるかに応じて、第２の領域３１１の接着剤なしの外縁部３０６’と接触させられることを意味する。結果として、第２の領域３１１の接着材１２を担持する内縁部３０５’が第１の領域３１０の接着剤なしの内縁部３０５または第３の領域３１２の接着剤なしの内縁部３０８と接触させられる。図１０から分かるように、封止領域の幅は、接着部３０６、３０５’の幅の合計に相当する。包装ユニットが折られる順序は関係がないことに留意されたい。例えば、包装ユニットは、第２の折り線３０９’の周りに折られて、第３の領域３１２を第２の領域３１１に接触させ、外縁部３０７、３０６’および内縁部３０８、３０５’を封止してもよい。包装ユニットは、続いて第１の折り線３０９の周りで折られ、第１の領域３１０を第３の領域３１２の外面に接触させ、したがって包装ユニットを封止する（図１０）。折り順は、逆でもよい。このことは、本発明の包装ユニットが廃棄に使用されるときに、使用者は耐密封止された包装を得るために包装ユニットを特定の順序で折らなくてもよいので、大きな利点である。包装ユニットは、折り順に拘らず耐密の衛生的な包装を提供することになる。
【００４６】
耐密包装を得るために、包装ユニット３０１の横断方向縁部３０４’および３０４＊には接着剤１２が付いている。横断方向縁部３０４’および３０４＊の両方に接着剤１２が付いていると、上述したように折り順が関係なくなる。横断方向縁部の一方のみに接着剤を付けることも考えられる。この場合、折りは、接着剤で被覆された横断方向縁部を備える領域が蓋を形成し、横断方向縁部に配置された接着剤が包装ユニットを封止するように、接着剤なしの横断方向縁部の最も近くに配置される折り線の周りから始めなければならない。
【００４７】
包装の開封を容易にするために、包装ユニット３０１の隅部２１のうちの少なくとも１つに接着剤が付いておらず、したがって、包装を開封するときに使用者によって把持される把持タブを形成するように、接着剤被覆部分が配置される。さらに、接着剤なしの隅部２１は、包装ユニットが封止されるときに排気用開口としての役割を果たす。
【００４８】
上で説明したように、封止領域の幅は、第１および第２の領域の接着剤被覆部の幅の合計である。様々な理由から接着剤の量および包装材料の幅を最小化することが望ましい場合がある。このことは、図１１に示すような方法で隣接領域のうちの２つの接着剤被覆部の幅が半分に減らされる場合に達成されうる。包装ユニット４０１は、包装ユニットを第１の領域４１０、第２の領域４１１および第３の領域４１２に分割する２つの折り線４０９、４０９’を有する。図１１から分かるように、隣接領域のうちの２つの、この場合第２および第３の領域４１１、４１２の、接着剤被覆部４０５’および４０７の幅は、残りの領域の、この場合第１の領域４１０の、接着剤被覆部の幅の半分に相当する。第２の領域４１１の接着剤被覆部４０５’が第３の領域４１２の接着剤被覆部４０７に対して相補形であることが不可欠である。接着剤パターンが図１１および図１２に示すようである場合、包装ユニットが再開封されること、すなわち未使用物品が包装されることを意図している場合、折りは、半分に減らされた接着剤被覆部を有する領域間に配置された折り線の周りで始められる必要がある。さもなければ、第１の領域４１０の接着剤被覆部４０６は、第２の領域４１１の接着剤被覆部４０５’と接触させられ、したがって包装ユニットの再開封の可能性を排除する。
【００４９】
本発明による包装ユニットが廃棄のために使用されるときに、使用者は、折るよりもむしろ、包装ユニットおよび包装ユニットに配置された汚れた物品を巻くことを選ぶことができることに留意されたい。
【００５０】
本発明が様々な実施形態を参照して説明されたが、当業者は、本発明の範囲から逸脱することなしに変更を施しうることを認識するであろう。詳細な説明は、例示的なものであるとみなされることを意図しており、添付の特許請求の範囲は、全ての均等物を含めて本発明の範囲を定めることを意図している。
【符号の説明】
【００５１】
１、１３、１０１、２０１、３０１、４０１  包装ユニット
２、１０２、２０２  内面
３、１０３、２０３  外面
４、１０４、２０４  縁域
４’、４”、１０４’、１０４＊、１０４”、１０４＊＊、２０４’、２０４＊、２０４”、２０４＊＊、３０４’、３０４＊  横断方向縁部
５、８、１６、１９、１０５、１０８、２０５、２０８、３０５、３０５’、３０８  内縁部
６、７、１７、１８、１０６、１０７、２０６、２０７、３０６、３０６’、３０７  外縁部
９、２０、１０９、２０９、３０９、３０９’、４０９、４０９’  折り線
１０、１４、１１０、２１０、３１０、４１０  第１の領域
１１、１５、１１１、２１１、３１１、４１１  第２の領域
１２  接着剤
２１  隅部
３１２、４１２  第３の領域
４０５’、４０６、４０７  接着剤被覆部
【図１】
0006039792.tif 000002
【図２】
0006039792.tif 000003
【図３】
0006039792.tif 000004
【図４】
0006039792.tif 000005
【図５】
0006039792.tif 000006
【図６】
0006039792.tif 000007
【図７】
0006039792.tif 000008
【図８】
0006039792.tif 000009
【図１１】
0006039792.tif 000010
【図１２】
0006039792.tif 000011
【図９】
0006039792.tif 000012
【図１０】
0006039792.tif 000013